(57)【要約】【課題】地上用望遠鏡で、対物側から順に対物レンズ系と、対物レンズ系の像をリレーして再結像させる光学系と、その像を観察する為の接眼レンズを有する光学系において、リレーレンズ系で高い倍率比の変化を持つレンズ系を提供する事を課題とする。【解決手段】地上用望遠鏡において、リレー光学系は、第１焦点面像から、正のパワーを持つコンデンサーレンズと、正のパワーを持つ第２群、正のパワーを持つ第３群と、負のパワーを持つフィールドレンズからなり、第１焦点面像と第２焦点面像の位置を固定したまま、いくつかのレンズを光軸方向に相対移動して変倍することを特徴とするレンズ群を持つ地上用望遠鏡のレンズ系。【選択図】図１
2007199336.tif 000002
【特許請求の範囲】
【請求項１】
物体側から順に、対物レンズ系と、対物レンズ系で結像した倒立像を第１焦点面像とし、その像をリレーして正立像を再結像させ、それを第２焦点面像とする光学系と、その像を観察する為の接眼レンズを有する地上用照準望遠鏡において、前記リレー光学系は、第１焦点面像から、正のパワーを持つコンデンサーレンズと、正のパワーを持つ第２群、正のパワーを持つ第３群と、負のパワーを持つフィールドレンズからなり、前記の第１焦点面像と第２焦点面像の位置を固定したまま、いくつかのレンズを光軸方向に相対移動して変倍することを特徴とするレンズ群を持つ地上望遠鏡光学系。
【発明の詳細な説明】
【技術分野】
【０００１】
本発明は、地上用望遠鏡の変倍光学系に関する。
【背景技術】
【０００２】
射撃用照準望遠鏡において、視界の広い低い倍率で標的を探し、正確な射撃を行なう為に、高い倍率に変倍させた状態で射撃を行なうことが有効である為、倍率の変化に伴い視度の変化のない、倍率の変化の大きい変倍光学系が望まれて、２倍比、３倍比、の光学系が開発され、近年においては４倍比の光学系まで開発されて市場に出回っており、さらに倍率比の大きいものが望まれている。
【０００３】
倍率の変化は、カメラレンズのような光学系においては、近年1０倍比を超えるレンズが提案されて、実用化に至っているが、射撃用照準望遠鏡の様に対物側から順に対物レンズ系と、対物レンズ系の像をリレーして再結像させる光学系と、その像を観察する為の接眼レンズを有する光学系において、リレーレンズ系で光軸方向に移動する二群のレンズを動かして倍率の変化を行なうタイプでは、倍率の変化を１倍を基準に４倍以上大きくする事は、衝撃が大きい射撃用照準望遠鏡においては、甚だ困難であった。
【発明の開示】
【発明が解決しようとする課題】
【０００４】
地上用望遠鏡で、対物側から順に対物レンズ系と、対物レンズ系の像をリレーして再結像させる光学系と、その像を観察する為の接眼レンズを有する光学系において、リレーレンズ系で５倍以上の倍率の変化を持つレンズ系を提供する事を課題とする。
【課題を解決するための手段】
【０００５】
以上の課題を解決するために、本発明の地上用望遠鏡の光学系は、物体側から順に、対物レンズ系と、対物レンズ系で結像した倒立像を第１焦点面像とし、その像をリレーして正立像を再結像させ、それを第２焦点面像とする光学系と、その像を観察する為の接眼レンズを有する射撃用照準望遠鏡において、前記リレー光学系は、第１焦点面像から、正のパワーを持つコンデンサーレンズと、正のパワーを持つ第２群、正のパワーを持つ第３群と、負のパワーを持つフィールドレンズからなり、前記の第１焦点面像と第２焦点面像の位置を固定したまま、第２群と第３群のレンズを光軸方向に相対移動して変倍することを特徴とし、第１焦点面像、あるいは第２焦点面像の位置にレチクルを設置する光学系を提供する。
【０００６】
物体側から順に、対物レンズ系と、対物レンズ系で結像した倒立像を第１焦点面像とし、その像をリレーして正立像を再結像させ、それを第２焦点面像とする光学系と、その像を観察する為の接眼レンズを有する射撃用照準望遠鏡において、前記リレー光学系は、第１焦点面像と第2焦点面像の位置を固定したまま、正のパワーを持つ第２群、正のパワーを持つ第３群で、第２群と第３群のレンズを光軸方向に相対移動して変倍する事ができ、本来、コンデンサーレンズ、フィールドレンズは変倍する為だけの目的には必要ないものであるが、対物レンズ系で結像された広い視界の像の光をリレーレンズ系に導く為には、コンデンサーレンズが必要となる。また、このコンデンサーレンズを設ける事で、コンデンサーレンズにより対物レンズ系で結像した倒立像を、第１焦点面像の拡大倍率を得ることができる。このレンズ系は広く一般に採用されているものである。
【０００７】
本発明は、対物レンズ系で結像した倒立像を第１焦点面像とし、その像をリレーして正立像を再結像させ、それを第２焦点面像とする光学系と、その像を観察する為の接眼レンズを有する射撃用照準望遠鏡において、前記リレー光学系は、第１焦点面像から、正のパワーを持つコンデンサーレンズと、正のパワーを持つ第２群、正のパワーを持つ第３群の後に、負のパワーを持つフィールドレンズからなることに特徴があるものである。ここに負のパワーを持つフィールドレンズを設置することにより前述のコンデンサーレンズ、正のパワーを持つ第２群、正のパワーを持つ第３群のレンズで、拡大した対物レンズ系で結像した倒立像の第１焦点面像をさらに拡大する事ができる。さらに負のレンズ系の為に、対物レンズ系で結像した第１焦点面像の光線を拡散する方向で第２焦点面に結像する事になり、その光線は、前述の接眼レンズの周辺を通る為、長いひとみ位置を得る事ができる。この事は、銃に取付けた射撃用照準望遠鏡の接眼レンズを、離れた位置から全視野を覗く事ができ、衝撃から目を守る為の重要なメリットを得る事ができるという特徴となる。
【発明の効果】
【０００８】
倍率の変化の大きい変倍光学系でありながら、倍率の変化に伴い視度の変化のない射撃用照準望遠鏡を提供することができる。この為、視界の広い倍率で標的を探し、正確な射撃を行なう為に、高倍に変倍させた状態で射撃を行なうことが容易となる。長いひとみ位置を得る事ができる為、銃に取付けた射撃用照準望遠鏡の接眼レンズを、離れた位置から全視野を覗く事ができ、衝撃から目を守る事ができる。
【発明を実施するための最良の形態】
【０００９】
以下、本発明による実施形態の一部の例を図面に基づいて詳細に説明する。図1は本発明に係る光学レンズ配置図である。対物レンズ系（1）により入射した光線は、第１焦点面（２）に倒立像を結ぶ。
【００１０】
第１焦点面（2）に結像した倒立像は、コンデンサーレンズ（3）、第２群レンズ（4）、第３群レンズ（5）、フィールドレンズ（６）により第２焦点面（7）に正立像として再結像する。
【００１１】
第２焦点面（7）の正立像は、接眼系（接眼開玉（8）、接眼元玉（9））を通して、観察者の眼（10）により観察される。  
【００１２】
第１焦点面（2）と第２焦点面（7）の位置を固定したまま、第２群レンズ（4）、第３群レンズ（5）を光軸方向に相対移動する事により、第２焦点面（7）の正立像の拡大比率を変化させる。
【図面の簡単な説明】
【００１３】
【図１】本発明に係る光学配置図の例。
【符号の説明】
【００１４】
１          対物レンズ系
２          第１焦点面
３          コンデンサーレンズ
４          第２群レンズ
５          第２群レンズ
６          フィールドレンズ
７          第２焦点面
８          接眼開玉
９          接眼元玉
10          観察者の眼            
【図１】
2007199336.tif 000003